(57)【要約】【課題】プレイヤに報酬を付与する場合において、プレイヤにメリットを与えるとともに、ゲーム提供者の金銭的な損失を抑制する。【解決手段】電子遊戯媒体の消費によりプレイが可能なゲームのプレイ結果を取得する取得手段５４と、取得手段５４が取得したプレイ結果に応じてプレイヤに付与される報酬であって、電子遊戯媒体及び電子遊戯媒体以外の他の報酬の中から一つの報酬をプレイヤに選択させる選択画像を出力する出力手段５６と、を備える。【選択図】図４
2019166328.tif 000002
【特許請求の範囲】
【請求項１】
電子遊戯媒体の消費によりプレイが可能なゲームのプレイ結果を取得する取得手段と、
前記取得手段が取得したプレイ結果に応じて前記プレイヤに付与される報酬であって、前記電子遊戯媒体及び前記電子遊戯媒体以外の他の報酬の中から一つの報酬をプレイヤに選択させる選択画像を出力する出力手段と、
を備える情報処理装置。
【請求項２】
前記他の報酬は、少なくとも、前記電子遊戯媒体としての価値がないアイテム及び前記ゲームの進行に影響のないアイテムの何れか一方を含む、
請求項１に記載の情報処理装置。
【請求項３】
前記選択画像において前記電子遊戯媒体が選択された後に、前記電子遊戯媒体を抽選する抽選手段、
を更に備える請求項１又は２に記載の情報処理装置。
【請求項４】
前記ゲームがプレイされている間に前記電子遊戯媒体が消費された場合、前記ゲームにおいて予め定められたゲーム効果を発生させる効果発生手段、
を更に備える請求項１乃至３の何れか１項に記載の情報処理装置。
【請求項５】
前記情報処理装置は、前記電子遊戯媒体を管理するサーバ装置と通信可能に構成され、
前記取得手段は更に、前記ゲームのプレイ前に、前記サーバ装置から前記プレイヤに対応付けられた前記電子遊戯媒体をデポジットとして取得して記憶し、
前記選択画像において電子遊戯媒体が選択された場合、選択された電子遊戯媒体を前記デポジットに追加することで、前記報酬を付与する付与手段、
を更に備える請求項１乃至４の何れか１項に記載の情報処理装置。
【請求項６】
コンピュータを、
電子遊戯媒体の消費によりプレイが可能なゲームのプレイ結果を取得する取得手段、
前記取得手段が取得したプレイ結果に応じて前記プレイヤに付与される報酬であって、前記電子遊戯媒体及び前記電子遊戯媒体以外の他の報酬の中から一つの報酬をプレイヤに選択させる選択画像を出力する出力手段、
として機能させるためのプログラム。
【発明の詳細な説明】
【技術分野】
【０００１】
本発明は、情報処理装置及びプログラムに関する。
【背景技術】
【０００２】
従来から、店舗等から借りた物理メダルを消費してプレイヤがゲームをプレイすることができるゲーム装置が知られている。
【０００３】
これに関し、特許文献１には、物理メダルの代わりに、電子メダルを消費してゲームをプレイすることができる技術が開示されている。また、この特許文献１には、プレイヤが普段プレイしているゲームとは異なるゲームをプレイしたときに、報酬として電子メダルを付与することも開示されている。
【先行技術文献】
【特許文献】
【０００４】
【特許文献１】特許第６０９６７１９号公報
【発明の概要】
【発明が解決しようとする課題】
【０００５】
しかしながら、特許文献１に記載の技術では、電子メダルを既に多く所持しているプレイヤにとっては、電子メダルを付与されることにメリットが感じられないという問題がある。一方で、店舗等のゲームを提供するゲーム提供者にとっても、そのようなプレイヤに電子メダルを付与する分だけ金銭的な損失をしてしまうという問題がある。
【０００６】
本発明はこのような課題に鑑みてなされたものであり、その目的は、プレイヤに報酬を付与する場合において、プレイヤにメリットを与えるとともに、ゲーム提供者の金銭的な損失を抑制することができる情報処理装置及びプログラムを提供することにある。
【課題を解決するための手段】
【０００７】
上記課題を解決するために、本発明の一態様に係る情報処理装置は、電子遊戯媒体の消費によりプレイが可能なゲームのプレイ結果を取得する取得手段と、前記取得手段が取得したプレイ結果に応じて前記プレイヤに付与される報酬であって、前記電子遊戯媒体及び前記電子遊戯媒体以外の他の報酬の中から一つの報酬をプレイヤに選択させる選択画像を出力する出力手段と、を備える。
【０００８】
上記一態様によれば、電子メダルを既に多く所持しているプレイヤに対しては、出力される選択画像において、付与される報酬として、電子遊戯媒体ではなく、他の報酬を選択させることができるので、当該プレイヤにメリットを与えることができる。また、店舗等のゲームを提供するゲーム提供者にとっても、そのようなプレイヤに他の報酬を付与するので、電子メダルを付与する場合に比べて金銭的な損失を抑制することができる。
【発明の効果】
【０００９】
本発明によれば、プレイヤに報酬を付与する場合において、プレイヤにメリットを与えるとともに、ゲーム提供者の金銭的な損失を抑制することができる。
【図面の簡単な説明】
【００１０】
【図１】本実施形態に係る情報処理装置としてのゲーム装置を含むメダル管理システムの全体構成の一例を示すブロック図である。
【図２】図１に示すメダル管理サーバのハードウェア構成の一例を示す図である。
【図３】図１に示すゲーム装置のハードウェア構成の一例を示す図である。
【図４】本実施形態に係る情報処理装置としてのゲーム装置の機能構成の一例を示すブロック図である。
【図５】本実施形態に係るメダル管理システムの処理のうち、ゲーム装置がメダル管理サーバ及びゲームサーバと連動して実行するゲーム処理の流れを示すフローチャートである。
【図６】ゲーム装置に表示される選択画像の一例を示す図である。
【発明を実施するための形態】
【００１１】
以下、添付図面を参照しながら本発明の実施形態（以下、「本実施形態」という。）について説明する。説明の理解を容易にするため、各図面において同一の構成要素及びステップに対しては可能な限り同一の符号を付して、重複する説明は省略する。
【００１２】
＜全体構成＞
図１は、本実施形態に係る情報処理装置としてのゲーム装置１６を含むメダル管理システム１の全体構成の一例を示すブロック図である。
【００１３】
図１に示すように、メダル管理システム１は、メダル管理サーバ１０と、ゲームサーバ１２と、複数の店舗Ｓ（例えば店舗Ａ、店舗Ｂ、店舗Ｃ等）にそれぞれ設置された店舗端末１４と、複数のゲーム装置１６と、を備える。これらの装置は、インターネットやイントラネット等の通信ネットワークＮＴを介して互いに通信可能に構成されている。なお、ゲーム装置１６は、他の装置と直接通信せず、不図示のターミナル装置を介して、他の装置と通信してもよい。
【００１４】
メダル管理サーバ１０は、ゲームの際に消費される電子遊戯媒体を管理する装置である。電子遊戯媒体としては、ゲーム装置１６に投入することで遊技が可能になる媒体が電子化されたもので、例えば電子メダルや電子通貨、クレジット等が挙げられるが、本実施形態では電子メダルである場合を一例として説明する。なお、電子メダルとは、物理メダルと異なり、無体物の情報である。また、メダル管理サーバ１０は、店舗Ｓの外に設けられても中に設けられてもよい。また、メダル管理サーバ１０は、店舗Ｓごとに設置したり店舗端末１４又はゲームサーバ１２と一体の装置であってもよい。
【００１５】
ゲームサーバ１２は、ゲーム装置１６に関するデータ、例えば各プレイヤのゲームの進行状況を示すプレイデータ等を管理する装置である。
【００１６】
店舗端末１４は、電子メダルの貸し出し（プレイヤ側から見た場合は「借り入れ」）やプレイヤカードの発行が可能な装置である。このプレイヤカードには、プレイヤを識別するためのプレイヤＩＤが記録されている。なお、このプレイヤＩＤは、プレイヤだけでなく店舗Ｓに設定することも可能である。
【００１７】
複数のゲーム装置１６は、例えばプレイヤＩＤでログインされ、店舗端末１４もしくはゲームサーバ１２でこれが許可されるとゲームプログラムを実行して、プレイヤに各種ゲームを提供する装置である。なお、本実施形態では、提供するゲームは、電子メダルの消費によりプレイが可能なゲームである。言い換えれば、ゲーム装置１６は、電子メダルが消費されることによりゲームを提供する。
【００１８】
＜ハードウェア構成＞
図２は、図１に示すメダル管理サーバ１０のハードウェア構成の一例を示す図である。
【００１９】
図２に示すように、メダル管理サーバ１０は、制御装置２０と、通信装置２６と、記憶装置２８と、を備える。この他に、メダル管理サーバ１０は、図示しない表示装置や操作装置等を備えてもよい。制御装置２０は、ＣＰＵ（Ｃｅｎｔｒａｌ  Ｐｒｏｃｅｓｓｉｎｇ  Ｕｎｉｔ）２２及びメモリ２４を主に備えて構成される。
【００２０】
制御装置２０では、ＣＰＵ２２が記憶装置２８或いはメモリ２４等に格納された所定のプログラムを実行することにより、各種の機能構成として機能する。この機能構成の詳細については後述する。
【００２１】
通信装置２６は、外部の装置と通信するための通信インターフェース等で構成される。通信装置２６は、例えば、店舗端末１４やゲーム装置１６との間で各種の情報を送受信する。
【００２２】
記憶装置２８は、ハードディスク等で構成される。記憶装置２８は、制御装置２０における処理の実行に必要な各種プログラムや各種の情報、及び処理結果の情報を記憶する。
【００２３】
なお、メダル管理サーバ１０は、専用又は汎用のサーバ・コンピュータなどの情報処理装置を用いて実現することができる。また、メダル管理サーバ１０は、単一の情報処理装置より構成されるものであっても、通信ネットワーク上に分散した複数の情報処理装置より構成されるものであってもよい。また、図２は、メダル管理サーバ１０が有する主要なハードウェア構成の一部を示しているに過ぎず、メダル管理サーバ１０は、サーバが一般的に備える他の構成を備えることができる。
【００２４】
図３は、図１に示すゲーム装置１６のハードウェア構成の一例を示す図である。なお、店舗端末１４のハードウェア構成も、電子メダルの支払受付装置やプレイヤカードの発行装置が追加されることを除いて、ゲーム装置１６の構成と同様であるので、その説明を省略する。
【００２５】
ゲーム装置１６は、ＣＰＵ３０と、記憶装置３２と、表示装置３４と、スピーカ３６と、操作装置３８と、読取装置４０と、通信装置４２と、を備える。
【００２６】
ＣＰＵ３０は、記憶装置３２や表示装置３４等のゲーム装置１６の各種装置を制御する。また、ＣＰＵ３０は、ゲームプログラムを実行して、プレイヤにゲームを提供する。
【００２７】
記憶装置３２には、ゲームプログラムが記憶されている。
【００２８】
表示装置３４は、ゲーム画面や、報酬を選択するための報酬選択画面等の各種画面を表示する。
【００２９】
スピーカ３６は、ゲーム音等を出力する。
【００３０】
操作装置３８は、プレイヤの操作を受け付け、受け付けた操作内容をＣＰＵ３０に入力する。
【００３１】
読取装置４０は、プレイヤカードからそのプレイヤＩＤを読み取るものである。
【００３２】
通信装置４２は、通信ネットワークＮＴを介して、メダル管理サーバ１０等と通信する。
【００３３】
＜機能構成＞
図４は、本実施形態に係る情報処理装置としてのゲーム装置１６の機能構成の一例を示すブロック図である。
【００３４】
図４に示すように、ゲーム装置１６は、記憶手段５０と、進行手段５２と、取得手段５４と、出力手段５６と、付与手段５８と、抽選手段６０と、効果発生手段６２と、を備える。記憶手段５０は、一又は複数の記憶装置２８により実現される。残りの機能構成は、ＣＰＵ３０が記憶装置３２に格納されているゲームプログラムを実行することにより実現される。
【００３５】
記憶手段５０には、例えば、プレイ結果に応じて選択可能な報酬が異なる複数の選択画像データ５０Ａと、プレイ結果に応じて当選内容が異なる抽選テーブル５０Ｂと、が記憶されている。プレイ結果としては、対戦に勝利したという結果、スコアが閾値より上であるという結果、レースで入賞したという結果、プレイヤの操作が閾値よりも速いという結果（例えばクイズゲームであれば回答が速いという結果）、所定の敵の攻撃回数が閾値以上であるという結果等が挙げられる。なお、このプレイ結果は、最終的なプレイ結果だけでなく、ゲーム全体がプレイ終了するまでの間に発生する途中経過としてのプレイ結果も含む。
【００３６】
進行手段５２は、ゲームを開始したり、ゲームを進行したりする機能を有する。
【００３７】
取得手段５４は、ゲームのプレイ結果を進行手段５２又は記憶手段５０等から取得する機能を有する。
【００３８】
出力手段５６は、取得手段５４が取得したプレイ結果に応じてプレイヤに付与される報酬であって、電子メダル及び電子メダル以外の他の報酬の中から一つの報酬をプレイヤに選択させる選択画像を、選択画像データ５０Ａに基づき、出力する機能を有する。他の報酬としては、アイテムや、クレジット、経験値及びゲーム内通貨、スコア等のパラメータ、プレイヤランクのランクアップ等が挙げられる。アイテムとしては、電子メダルとしての価値があり且つゲームの進行に影響があるアイテムや、電子メダルとしての価値があり且つゲームの進行に影響のないアイテム、電子メダルとしての価値がなく且つゲームの進行に影響のあるアイテム、電子メダルとしての価値がなく且つゲームの進行に影響のないアイテム等が挙げられる。
【００３９】
電子メダルとしての価値があり且つゲームの進行に影響があるアイテムとしては、使用して敵等に命中した場合に電子メダルが貰える攻撃アイテムや、賞金として電子メダルが貰えるレースに出場する主体（競走馬や人間）等を成長するための成長アイテム等が挙げられる。
電子メダルとしての価値があり且つゲームの進行に影響のないアイテムとしては、抽選テーブル５０Ｂを変更する衣装および装備（装着していると抽選テーブルが変化する効能があるもの）や、ゲームをプレイするために消費する電子メダルを割り引く割引券等が挙げられる。
電子メダルとしての価値がなく且つゲームの進行に影響があるアイテムとしては、キャラクタに必殺技を追加するアイテムや、キャラクタのＨＰを回復するアイテム、新しいゲームストーリー、攻撃・防御アイテム、ゲームの難易度を下げるアイテム等が挙げられる。なお、電子メダルとしての価値がないアイテムは、例えばアイテム購入の際に電子メダルを消費することもなく、アイテム売却や使用の際に電子メダルを付与されるものではないアイテム、すなわち、電子遊技媒体の増減に直接的に影響しないアイテムである。
電子メダルとしての価値がなく且つゲームの進行に影響のないアイテムとしては、単なる見た目を変更するだけの衣装や、化粧、色変更、称号等が挙げられる。このようなアイテムは、電子メダルとしての価値がなく且つゲームの進行に影響のないものの、手に入れることを困難にしておくことで、これを手に入れたプレイヤにとっては誉れとなる。
【００４０】
付与手段５８は、選択画像において選択された報酬をプレイヤに付与する機能を有する。
【００４１】
抽選手段６０は、選択画像において電子メダルが選択された後に、電子メダルを抽選する機能を有する。本実施形態では、抽選手段６０は、ゲームのプレイ結果に応じて抽選内容を変更する。
【００４２】
効果発生手段６２は、ゲームがプレイされている間に電子メダルが消費された場合、ゲームにおいて予め定められたゲーム効果を発生させる機能を有する。
【００４３】
ここで、下記（１）〜（６）のゲームを例に挙げて、ゲームの種類に応じたゲーム効果について説明する。
【００４４】
（１）音楽ゲーム
ゲームが、音楽に合わせてプレイヤの操作を受け付ける音楽ゲームである場合を説明する。この音楽ゲームでは、例えば、プレイヤの操作があった場合に、基準オブジェクトに向かって移動する移動オブジェクト（ノーツ）、及び、基準オブジェクトとの位置関係が示すタイミングと、判定基準とに基づき、プレイヤの操作を評価する。このような音楽ゲームにおいて、ゲーム効果としては、判定基準を現在よりも低くする効果や、判定基準を現在よりも高くする代わりに獲得できるスコアを高くする効果、一時的に獲得できるスコアを高くする効果、味方キャラクタがいる場合に当該味方キャラクタのステータス（ＨＰや攻撃力、防御力等）を上げる効果や、敵キャラクタがいる場合に当該敵キャラクタのステータスを下げる効果、必殺技を発動する効果、音楽スピードを変更する効果、ノーツの速度を変更する効果、所定の効果音を出力する効果等が挙げられる。また、この他にも、音楽ゲームにおいて、上記ノーツに、電子メダルやアイテムの抽選を設定しておき、ノーツが基準オブジェクトに一致したタイミングでプレイヤの操作があったとき、すなわち、プレイヤの操作タイミングが合ったときに、抽選を開始するようにしてもよい。なお、音楽ゲームでは、ゲームの難易度に応じて発生させる移動オブジェクトの数が変わり、その結果、難易度が高いほど抽選の回数が多くなる傾向にあるので、難易度に応じて抽選のペイアウト率を変化させるようにしてもよい。また、電子メダルの消費は、ゲームプレイ開始前にクレジットとして所定枚数を支払う場合のほか、入力判定のための操作入力毎に１枚から数枚ずつ消費するようにしてもよい。また、電子メダルの消費は、抽選を実行するノーツや敵を攻撃可能なノーツ等の特定のノーツに対する操作を有効に評価するために所定枚数を消費するようにしてもよい。
【００４５】
（２）アクションゲーム
ゲームが、味方キャラクタと敵キャラクタが対戦するアクションゲームである場合を説明する。このようなアクションゲームにおいて、ゲーム効果としては、必殺技を発動する効果や、味方キャラクタのステータスを高くする効果、敵キャラクタのステータスを下げる効果、味方キャラクタ又は敵キャラクタの状態を変更する効果、対戦スピードを変更する効果、対戦の勝敗を賭けて、ゲーム終了後に、付与される報酬の価値又は量を、賭けた結果に応じて変動させる効果等が挙げられる。なお、基本的な電子メダルの消費は、対戦プレイ毎に各プレイヤから所定量の電子メダルを徴収し、勝敗やスコア等によって徴収した電子メダルから報酬として付与するようにしてもよい。
【００４６】
（３）シューティングゲーム
ゲームが、弾丸やレーザーなどの飛び道具を用いて敵機を撃ち落とすシューティングゲームである場合を説明する。このようなシューティングゲームにおいて、ゲーム効果としては、必殺技（全体攻撃や通常の飛び道具よりも強力な飛び道具発射）を発動する効果や、敵の攻撃を防御するシールドを発動する効果、ゲーム難易度を変更する効果、スコアを上げる効果、味方又は敵のスピードを上げる効果、ゲーム音楽を変更する効果等が挙げられる。なお、基本的なメダルの消費は、ゲームプレイ開始前にクレジットとして所定枚数を支払う場合のほか、攻撃やその種類に応じてその都度１枚から数枚ずつ消費するようにしてもよい。
【００４７】
（４）トレーディングカードゲーム
ゲームが、トレーディングカードとして販売されている専用のカードを用いて行うトレーディングカードゲームである場合を説明する。このようなトレーディングカードゲームにおいて、ゲーム効果としては、トレーディングカードのキャラクタのステータスを一時的に上げる効果や、トレーディングカードを交換する効果や、ゲームに用いるトレーディングカードを追加する効果等が挙げられる。また、プレイヤが店舗端末１４において現金の支払いにより電子メダルを借りる場合、電子メダルが貸与されるだけでなく、トレーディングカードも排出されてもよい。例えば、１０００円で８００円分の電子メダルが付与され、２００円分のトレーディングカードが排出されてもよい。また、対価を支払うことで印刷等によりトレーディングカードを払い出すカードゲーム装置の場合は、トレーディングカードを排出（印刷）する権利を２００円分付与するようにしてもよい。なお、基本的な電子メダルの消費は、ゲームプレイ開始前にクレジットとして所定枚数を支払う場合のほか、トレーディングカードの操作やそれに応じた攻撃等の都度１枚から数枚ずつ消費するようにしてもよい。
【００４８】
（５）思考型ゲーム
ゲームが、麻雀ゲームやクイズゲーム等の思考型ゲームである場合を説明する。このような思考型ゲームにおいて、ゲーム効果としては、予め定められた時間（プレイヤの持ち時間）を長くする効果や、プレイヤの持ち時間を短くする代わりに点数や報酬を高くする効果（早く回答して正解すると、点数や報酬が多くなることも含む）、供託点棒を増やす効果等が挙げられる。なお、基本的な電子メダルの消費は、上述のアクションゲームと同様に、対戦プレイ毎に各プレイヤから所定量の電子メダルを徴収し、勝敗やスコア等によって徴収した電子メダルから報酬として付与するようにしてもよい。
【００４９】
（６）クレーンゲーム
ゲームが、クレーンを移動して景品を取得するクレーンゲームである場合を説明する。このようなクレームゲームにおいて、ゲーム効果としては、移動機構を制御して景品を景品取得に際して有利な位置に移動させる効果や、クレーンの把持力を高くする効果、移動回数を増やす（一度指定した移動機構の位置を再度決め直す）効果等が挙げられる。
【００５０】
＜ゲーム処理の流れの一例＞
図５は、本実施形態に係るメダル管理システム１の処理のうち、ゲーム装置１６がメダル管理サーバ１０及びゲームサーバ１２と連動して実行するゲーム処理の流れを示すフローチャートである。なお、以下のステップの順番は、適宜、変更することができる。
【００５１】
（ステップＳＰ１０）
ゲーム装置１６の取得手段５４は、ゲームをプレイしようとするプレイヤのプレイヤカードを読み取り、当該プレイヤカードからプレイヤＩＤを取得する。この際、ゲーム装置１６は、メダル管理サーバ１０又はゲームサーバ１２と通信して、プレイヤＩＤの認証を行ってもよい。そして、処理は、ステップＳＰ１２の処理に移行する。
【００５２】
（ステップＳＰ１２）
ゲーム装置１６の進行手段５２は、当該ゲーム装置１６が設置されている店舗Ｓの店舗ＩＤと、取得したプレイヤＩＤを含む消費要求をメダル管理サーバ１０に送信する。そして、処理は、ステップＳＰ１４の処理に移行する。
【００５３】
（ステップＳＰ１４）
メダル管理サーバ１０は、ゲーム装置１６から、消費要求を受信する。これに応答して、メダル管理サーバ１０は、図示しない口座テーブルから、消費要求に含まれている店舗ＩＤ及びプレイヤＩＤに対応する口座を取得し、当該口座から、所定枚数の電子メダルを減算する。続いて、メダル管理サーバ１０は、ゲーム開始許可をゲーム装置１６に送信する。そして、処理は、ステップＳＰ１６の処理に移行する。なお、ゲーム装置１６より、予めゲームのプレイに最低限必要なメダル枚数よりも多くのメダルの消費要求を行い、メダル管理サーバ１０は、ゲーム開始許可を送信する代わりに、消費要求されたメダル枚数がプレイヤＩＤに対応する口座内にあるメダル枚数以下である場合にその枚数の電子メダルを減算し、消費要求を許可する情報をゲーム装置１６に送信してもよい。その際にゲーム装置１６は、消費要求が許可されたことを条件として消費要求したメダル枚数をデポジットし、以降は、デポジットされたメダルを消費しながらゲームを進行させるようにしてもよい。
【００５４】
（ステップＳＰ１６）
ゲーム装置１６は、メダル管理サーバ１０から、ゲーム開始許可を受信する。これに応答して、ゲーム装置１６の進行手段５２は、プレイヤＩＤを含むデータ要求をゲームサーバ１２に送信する。そして、処理は、ステップＳＰ１８の処理に移行する。
【００５５】
（ステップＳＰ１８）
ゲームサーバ１２は、ゲーム装置１６から、データ要求を受信する。これに応答して、ゲームサーバ１２は、当該ゲームサーバ１２の記憶手段の中からデータ要求に含まれているプレイヤＩＤに対応するプレイデータ（所持しているキャラクタやアイテム、成績やゲームの途中経過、各種パラメータ等）を取得し、当該プレイデータをゲーム装置１６に送信する。そして、処理は、ステップＳＰ２０の処理に移行する。
【００５６】
（ステップＳＰ２０）
ゲーム装置１６は、ゲームサーバ１２から、プレイデータを受信する。続いて、ゲーム装置１６の進行手段５２は、受信したプレイデータを反映する形でゲームを開始する。そして、処理は、ステップＳＰ２２の処理に移行する。
【００５７】
（ステップＳＰ２２）
進行手段５２は、ゲームがプレイされている間に電子メダルが消費されたか否か判定する。そして、当該判定が肯定判定された場合には処理はステップＳＰ２４の処理に移行し、当該判定が否定判定された場合には処理はステップＳＰ２６の処理に移行する。
【００５８】
（ステップＳＰ２４）
ゲーム装置１６の効果発生手段６２は、ゲームにおいて予め定められたゲーム効果を発生させる。そして、処理は、ステップＳＰ２６の処理に移行する。
【００５９】
（ステップＳＰ２６）
進行手段５２は、ゲームが終了したか否かを判定する。そして、当該判定が肯定判定された場合には処理はステップＳＰ２８の処理に移行し、当該判定が否定判定された場合には処理はステップＳＰ２２の処理に戻る。
【００６０】
（ステップＳＰ２８）
ゲーム装置１６の取得手段５４は、プレイヤによるゲームのプレイ結果を発生したゲーム効果等に基づいて取得する。そして、処理は、ステップＳＰ３０の処理に移行する。なお。プレイ結果は、ゲーム開始からゲームオーバーとなるまでのプレイ結果の他、ゲームプレイ中の個々のイベント等で発生するプレイの結果も含む。
【００６１】
（ステップＳＰ３０）
ゲーム装置１６の出力手段５６は、取得したプレイ結果に応じた報酬の選択画像データ５０Ａを取得する。続いて、出力手段５６は、選択画像データ５０Ａに基づき、選択画像を表示装置３４に表示出力する。なお、報酬の選択は、ゲーム開始時（ステップＳＰ２０）やゲームのプレイ途中で行うようにしてもよい。この場合、プレイ結果に応じた報酬ではなく、単に報酬の種類として表示しておき、実際に選択された報酬を付与する際にプレイ結果に応じた報酬を選択（抽選）するようにしてもよい。
【００６２】
図６は、ゲーム装置１６に表示される選択画像１００の一例を示す図である。
【００６３】
図６に示すように、選択画像１００には、例えば、電子メダル（抽選）を選択するため選択ボタン１０２と、ランクを上げることに寄与するランクポイントを選択するための選択ボタン１０４と、レベルを上げることに寄与する経験値を選択するための選択ボタン１０６と、敵を攻撃する攻撃アイテムを選択するための選択ボタン１０８と、敵から防御する防御アイテムを選択するための選択ボタン１１０と、プレイヤのキャラクタが身に着ける衣装を選択するための選択ボタン１１２と、が設けられている。
【００６４】
図５に戻って、処理は、ステップＳＰ３２の処理に移行する。
【００６５】
（ステップＳＰ３２）
ゲーム装置１６の付与手段５８は、選択画像１００において電子メダルが選択されたか否かを判定する。そして、当該判定が肯定判定された場合には処理はステップＳＰ３４の処理に移行し、当該判定が否定判定された場合には処理はステップＳＰ４４の処理に移行する。
【００６６】
（ステップＳＰ３４）
ゲーム装置１６の抽選手段６０は、付与する電子メダルの枚数を抽選する。なお、この枚数は、プレイ結果に応じて変動するようにしてもよい。そして、処理は、ステップＳＰ３６の処理に移行する。
【００６７】
（ステップＳＰ３６）
付与手段５８は、抽選で当選した電子メダルの枚数と、プレイヤＩＤを含むメダル付与要求をメダル管理サーバ１０に送信する。そして、処理は、ステップＳＰ３８の処理に移行する。なお、ゲーム装置１６の取得手段５４が、ゲームのプレイ前に、サーバ装置１６からプレイヤＩＤに対応付けられた電子メダルをデポジットとして取得して記憶し、予めゲーム装置１６に電子メダルがデポジットされている場合は、メダル付与要求をメダル管理サーバ１０に送信せず、ゲーム装置１６内にプレイデータ等と共に記憶させておくようにし、ゲーム終了後にメダル管理サーバ１０に預け入れるようにしてもよい。すなわち、ゲーム装置１６の付与手段５８は、選択画像１００において電子メダルが選択されたとき、選択された電子メダルをデポジットに追加することで、報酬を付与し、ゲーム終了後に残っているデポジットをメダル管理サーバ１０に預け入れる。
【００６８】
（ステップＳＰ３８）
メダル管理サーバ１０は、ゲーム装置１６から、メダル付与要求を受信する。これに応答して、メダル管理サーバ１０は、プレイヤＩＤ毎の口座（電子メダルの残高）が記述された口座管理テーブルから、メダル付与要求に含まれているプレイヤＩＤに対応する口座を取得し、当該口座の枚数に、メダル付与要求に含まれている枚数を加算することで、プレイヤに電子メダルを付与する。そして、処理は、ステップＳＰ４０の処理に移行する。
【００６９】
（ステップＳＰ４０）
メダル管理サーバ１０は、付与結果をゲーム装置１６に送信する。そして、処理は、ステップＳＰ４２の処理に移行する。
【００７０】
（ステップＳＰ４２）
メダル管理サーバ１０は、メダル管理サーバ１０から、付与結果を受信する。そして、図５に示す一連の処理は終了する。
【００７１】
（ステップＳＰ４４）
ステップＳＰ３２で否定判定された場合には、付与手段５８は、選択画像１００における報酬の選択情報と、プレイヤＩＤとを含む報酬付与要求をゲームサーバ１２に送信する。そして、処理は、ステップＳＰ４６の処理に移行する。
【００７２】
（ステップＳＰ４６）
ゲームサーバ１２は、ゲーム装置１６から、報酬付与要求を受信する。これに応答して、ゲームサーバ１２は、報酬付与要求に含まれているプレイヤＩＤに対応するプレイデータを取得し、報酬付与要求に含まれている選択情報に対応する他の報酬を当該プレイデータに追加することで、他の報酬をプレイヤに付与する。そして、処理は、ステップＳＰ４８の処理に移行する。なお、図６のポイントや経験値、各種のアイテムは、そのそれぞれの報酬において、電子メダルと同様に抽選に応じて実際のポイント数や経験値、アイテム等を選択するようにしてもよい。
【００７３】
（ステップＳＰ４８）
ゲーム装置１６は、付与結果をゲーム装置１６に送信する。そして、処理は、ステップＳＰ４２の処理に移行する。
【００７４】
＜作用＞
以上、本実施形態によれば、電子メダルを既に多く所持しているプレイヤに対して、出力される選択画像１００において、付与される報酬として、電子メダルではなく、他の報酬を選択させることができるので、当該プレイヤにメリットを与えることができる。また、店舗Ｓ等のゲームを提供するゲーム提供者にとっても、そのようなプレイヤに他の報酬を付与するので、電子メダルを付与する場合に比べて金銭的な損失を抑制することができる。
【００７５】
また、本実施形態によれば、他の報酬は、電子メダルとしての価値がないアイテムを含むので、電子メダルを既に多く所持しているプレイヤに対して、ゲームを有利に進めさせたり、誉れを与えられたりすることができるので、当該プレイヤにメリットを与えることができる。
【００７６】
同様に、本実施形態によれば、他の報酬は、ゲームの進行に影響のないアイテムを含むので、電子メダルを既に多く所持しているプレイヤに対して、誉れを与えることができるので、当該プレイヤにメリットを与えることができる。
【００７７】
また、本実施形態によれば、選択画像１００において電子メダルが選択された後に、電子メダルを抽選するので、選択画像１００において電子メダルの枚数が表示される場合に比べて、他の報酬の、電子メダルとしての価値をプレイヤに把握されることを抑制できる。また、プレイヤにとっても、抽選を行うことで、楽しさを与えることができる。
【００７８】
また、本実施形態によれば、ゲームがプレイされている間に電子メダルが消費された場合、ゲームにおいて予め定められたゲーム効果を発生させるので、プレイヤに対して電子メダルの消費を促すことができる。
【００７９】
また、本実施形態によれば、思考型ゲーム等の場合、上記ゲーム効果として、例えば、予め定められた時間を長くする効果を発生させるので、プレイヤにゲームを楽しむ又は考える時間を与えることができ、ゲームの興趣性を高めることができる。
【００８０】
＜変形例＞
なお、本発明は上記の具体例に限定されるものではない。すなわち、上記の具体例に、当業者が適宜設計変更を加えたものも、本発明の特徴を備えている限り、本発明の範囲に包含される。また、前述した実施形態及び後述する変形例が備える各要素は、技術的に可能な限りにおいて組み合わせることができ、これらを組み合わせたものも本発明の特徴を含む限り本発明の範囲に包含される。
【００８１】
例えば、上記実施形態では、取得手段５４や出力手段５６がゲーム装置１６に備えられる場合を説明したが、メダル管理サーバ１０又はゲームサーバ１２に備えられてもよい。
【００８２】
また、上記実施形態では、報酬として電子メダルをプレイヤに付与する場合を説明したが、ゲームをプレイした店舗Ｓ又はプレイしたゲームにのみ消費可能な電子メダルをプレイヤに付与してもよい。
【００８３】
また、電子遊技媒体は、物理メダルや通貨として店舗端末１４に払い出し手段（図示しない）を設けて払い出すようにしてもよい。
【００８４】
また、上記実施形態では、電子メダルを抽選する場合を説明したが、抽選を省略し、選択画像１００において所定枚数の電子メダルを選択できるようにしてもよい。また、選択画像１００においてアイテムを選択した後、アイテムを抽選できるようにしてもよい。
【符号の説明】
【００８５】
１６…ゲーム装置（情報処理装置）
５４…取得手段
５６…出力手段
５８…付与手段
６０…抽選手段
６２…効果発生手段
【図１】
2019166328.tif 000003
【図２】
2019166328.tif 000004
【図３】
2019166328.tif 000005
【図４】
2019166328.tif 000006
【図５】
2019166328.tif 000007
【図６】
2019166328.tif 000008